(57)【特許請求の範囲】
【請求項１】
収納庫本体(6)の前方開口部に蓋体を取り付けてなる複数の物品収納庫(4)を少なくとも縦横の一方に連ねて連結させたロッカーであって、
収納庫本体(6)の底面(12)側に、所定の載置荷重を感知する物品載置台(62)付きの荷重検知手段(58)を設けるとともに、この物品載置台(62)と連係して上記載置荷重の感知を表す表示部(42)をロッカーの適所に設け、
上記底面(12)のうち前方開口部(8)から離れた箇所には第１係合孔(18)を穿設し、
この第１係合孔(18)内へ、上記物品載置台(62)の後部から後方突出した係止片(66)を物品載置台(62)の揺動可能に遊挿するとともに、物品載置台(62)の前部と収納庫本体(6)の底面(12)との間に弾性ばね(72)を介在させ、この弾性ばね(72)の弾性力に抗して、所定の載置荷重の物品を載せた物品載置台(62)の前部が一定の位置まで下降することを検知するように構成したことを特徴とする、荷重検知機能付きロッカー。
【請求項２】
上記物品載置台(62)の前部が所定位置まで下降することを検知する重量センサ(74)を、収納庫本体(6)の底面と上記物品載置台(62)の前部裏面との間に介挿させたことを特徴とする、請求項１記載の荷重検知機能付きロッカー。
【請求項３】
上記物品載置台(62)前部裏面乃至収納庫本体(6)への重量センサ(74)の衝突に対する緩衝手段として、それら物品載置(62)の前部と収納庫本体(6)の前部との一方から他方へ突出するストッパ(76)を設けたことを特徴とする、請求項２記載の荷重検知機能付きロッカー。
【請求項４】
上記物品載置部(62)の前端から前下方へガイド板部(68)を突設するとともに、物品載置台(62)の上昇状態でガイド板部(68)の前端部が収納庫本体(6)の前方開口部(8)の下縁に連なるように構成したことを特徴とする、請求項１から請求項３のいずれかに記載の荷重検知機能付きロッカー。
【請求項５】
請求項１から請求項４の何れかに記載のロッカーへの適用に適した荷重検知ユニットであって、
水平な底板部(94)の左右両側から一対の支持板部(96)を、また底板部(94)の前部から連結片(98)をそれぞれ起立するとともに、それら上記支持板部(96)の対応箇所に、上記連結片(98)から前後方向の距離を存して支点部(100)を設けた本体(92)と、
上記両支点部(100)の間に回動可能に架設され、側方から見て二つの板部を相互に屈折してなる回転部材(106)と、
上記回転部材(106)と上記連結片(98)との間に張設した緊張部材(110)とからなり、
回転部材(106)は、上記２つの板部のうち一方板部(106Ａ)が垂直であるときに他方板部(106B)が支点部(100)から後方へ突出するように配置され、上記一方板部(106Ａ)を上記緊張部材(110)の後端部を係止させてなり、
上記緊張部材(110)は、前後方向への引っ張り力に抵抗する弾性ばね(72)と、その引っ張り力を調整する調整部(112)とを直列的に連結してなることを特徴とする、荷重検知ユニット。
【請求項６】
上記支持板部(96)の上部に重量センサ(74)を取り付け、その重量センサの感圧端子74aを支持板部(96)よりも上方に突出させたことを特徴とする、請求項５記載の荷重検知ユニット。
【発明の詳細な説明】
【技術分野】
【０００１】
本発明は、荷重検知機能付きロッカー、特に物品載置台を有しかつ物品載置台に作用する荷重を検知する機能を備えたロッカー、及びロッカー用荷重検知ユニットに関する。
【背景技術】
【０００２】
この種のロッカーとして、出願人は、操作者の生体認証を行う機能を有し、かつ物品収納庫の開閉の履歴を経時的に記録することができ、さらに物品収納庫に配置された物品載置台に重量センサを連係させることで単に扉を開けたかどうかだけでなく物品載置台に置かれた物品を手に取ったかどうかが判るようにしたロッカーを提案している（特許文献１）。
【先行技術文献】
【特許文献】
【０００３】
【特許文献１】特開２０１２−０５７３７１
【特許文献２】特開２００１−１８２９４２
【特許文献３】特開平５−１２６３４０
【特許文献４】特開２００３−２７９３９９
【発明の概要】
【発明が解決しようとする課題】
【０００４】
特許文献１では、物品収納庫の底部に孔を設け、この孔から突出した重量センサの感圧端子が物品載置台の底部の適所（好ましくは中心部）に当接することで荷重を感知するという簡単な仕組みを開示している。しかし物品載置台の圧力中心（通常は台の中心部）が感圧端子から大きくずれると正しく圧力を感知できない可能性がある。
【０００５】
出願人が、物品載置台を重力センサと連係させる手法について調査したところ、ロッカー以外の分野であるが、次の方法を見出した。
（ａ）上述の床相当部分の開口から突出した重量センサの感圧端子の上端部を皿状の物品載置台の裏面中央部に機械的に連結するもの（特許文献２）。
（ｂ）物品載置台が載荷により下方へ変形すると、変形箇所がテコの一端を押下げ、テコの他端の動きで荷重を感知するもの（特許文献３）。
（ｃ）物品収納庫の両側板に縦方向への回転自在な複数のフックを取り付け、これらフックを物品載置板の側部に設けた孔に係合させるとともに、フックの回転を制動するばねを設け、ばね力に抗してフックが回転する動きで荷重を感知するもの（特許文献４）。
【０００６】
特許文献２の方法では、物品載置台に重い物品（例えば拳銃）を載せる場合に感圧端子と物品載置台との連結箇所が壊れてしまう可能性がある。また特許文献３〜４の方法では、テコやフックを必須要件とするので徒にパーツ数が多くなり、それら部材の取り付けも面倒である。とくに複数の物品収納庫からなるロッカーにおいては、物品収納庫毎にそれら部材を取り付ける作業を行うとすれば、煩に耐えない。
【０００７】
本発明の第1の目的は、比較的重い物品に適用しても物品収納庫内の有無を感知する機能を発揮する荷重検知機能付きロッカーを提案することである。
本発明の第２の目的は、簡易な構成で上記機能を実現した荷重検知機能付きロッカーを提案することである。
【課題を解決するための手段】
【０００８】
第１の手段は、荷重検知機能付きロッカーであり、
収納庫本体6の前方開口部に蓋体を取り付けてなる複数の物品収納庫4を少なくとも縦横の一方に連ねて連結させたロッカーであって、
収納庫本体6の底面12側に、所定の載置荷重を感知する物品載置台62付きの荷重検知手段58を設けるとともに、この物品載置台62と連係して上記載置荷重の感知を表す表示部42をロッカーの適所に設け、
上記底面12のうち前方開口部8から離れた箇所には第１係合孔18を穿設し、
この第１係合孔18内へ、上記物品載置台62の後部から後方突出した係止片66を物品載置台62の揺動可能に遊挿するとともに、物品載置台62の前部と収納庫本体6の底面12との間に弾性ばね72を介在させ、この弾性ばね72の弾性力に抗して、所定の載置荷重の物品を載せた物品載置台62の前部が一定の位置まで下降することを検知するように構成した。
【０００９】
本手段は、図１に示すように物品載置台62の後端側を収納庫本体6の底面に揺動可能に係止させ、かつ物品載置台62と上記底面との間に弾性ばね72を設けることを提案している。物品載置台62の後端側を収納庫本体6に係止させたから、物品載置台がずれることがなく、斜めに係止された物品載置台62と底面6との間に弾性ばねを挿入する構造としたから、構成が極めて簡単であり、組立も容易である。好適な一実施例として弾性ばねの頭部を物品載置台62に予め固定しておくことが好適である。
【００１０】
第２の手段は、第１の手段を有し、かつ
上記物品載置台62の前部が所定位置まで下降することを検知する重量センサ74を、収納庫本体6の底面と上記物品載置台62の前部裏面との間に介挿させている。
【００１１】
本手段では、傾斜状態で揺動可能に支持された物品載置台62と収納庫本体6の水平な底面との間のスペースを利用して、重量センサ74を収納することを提案している。重量センサ74は物品載置台62の裏面に取り付けることが望ましいが、収納庫本体6の下面に取り付けても構わない。「物品載置台62の前部裏面」とは、物品載置台の前部の裏側に表れる面をいい、例えば物品載置台の台板の前部の裏面でもよく（図１実施例参照）、また物品載置台の側板部から外方突出する外向きフランジ71の前部裏面でもよい（図13参照）。
【００１２】
第３の手段は、第２の手段を有し、かつ
上記物品載置台62前部裏面乃至収納庫本体6への重量センサ74の衝突に対する緩衝手段として、それら物品載置62の前部と収納庫本体6の前部との一方から他方へ突出するストッパ76を設けた。
【００１３】
本手段では、物品載置台62の下限位置を規制するストッパ76を設けることを提案する（図11参照）。図示例では物品載置台62側から収納庫本体６の底面側へストッパ76を突出しているが、収納庫本体６の底面側から物品載置台62側へストッパを突出してもよい。
【００１４】
第４の手段は、第１の手段から第３の手段のいずれかを有し、かつ
上記物品載置部62の前端から前下方へガイド板部68を突設するとともに、物品載置台62の上昇状態でガイド板部68の前端部が収納庫本体6の前方開口部8の下縁に連なるように構成した。
【００１５】
本手段は、図３に示すように、物品載置台62の上昇状態でこの物品載置台62の前縁から突出するガイド板部68が、前方開口部8の下縁に連なるように構成している。「下縁に連なる」とは、空間的に当該下縁に隣接又は近接していれば足りる。こうすることで拳銃などの物品を入庫する際に当該物品が物品載置台62の前端へ強く当たることを回避できる。
【００１６】
第５の手段は、第１の手段から第４の手段のいずれかに記載のロッカーへの適用に適した荷重検知ユニットであって、
水平な底板部94の左右両側から一対の支持板部96を、また底板部94の前部から連結片98をそれぞれ起立するとともに、それら上記支持板部96の対応箇所に、上記連結片98から前後方向の距離を存して支点部100を設けた本体92と、
上記両支点部100の間に回動可能に架設され、側方から見て二つの板部を相互に屈折してなる回転部材106と、
上記回転部材106と上記連結片98との間に張設した緊張部材110とからなり、
回転部材106は、上記２つの板部のうち一方板部106Ａが垂直であるときに他方板部106Bが支点部100から後方へ突出するように配置され、上記一方板部106Ａを上記緊張部材110の後端部を係止させてなり、
上記緊張部材110は、前後方向への引っ張り力に抵抗する弾性ばね72と、その引っ張り力を調整する調整部112とを直列的に連結してなる。
【００１７】
本手段では、前述のロッカーに好適な荷重感知ユニット90を提案する（図13〜図15）。水平方向に弾性ばね72を配置したから、弾性ばねの収納スペースに自由度があり、強いばねでも採用できる。また引っ張り力の調整部112を設けたから、使い勝手がよい。
【００１８】
第６の手段は、第５の手段を有し、
かつ上記支持板部96の上部に重量センサ74を取り付け、その重量センサの感圧端子74aを支持板部96よりも上方に突出させた。
【００１９】
本手段では、図14の如く、重量センサの感圧端子74aを支持板部96よりも上方へ突出させたから、例えば物品載置台62の外向きフランジ71を介して物品の荷重を感知することができる。この態様では重量センサの収納スペースに余裕があるから、比較的価格の高い背低小型の重量センサを用いる必要がなく、経済的に有利である。
【発明の効果】
【００２０】
第１の手段に係る発明によれば、物品載置台62の後部から後方突出した係止片66を、収納庫本体6の底面に設けた第１係合孔18に係止させたから、簡易な構成で多数の荷重検知手段58を形成することができる。
第２の手段に係る発明によれば、傾斜状態で揺動可能に支持された物品載置台62と収納庫本体6の水平な底面との間のスペースに重量センサ74を設けたから、省スペースに資するとともに、取付け作業も容易である。
第３の手段に係る発明によれば、物品載置62の前部と収納庫本体6の底面との一方から他方へ突出するストッパ76を設けることで、重量センサ74への当りを緩和できる。
第４の手段に係る発明によれば、物品載置部62の前端から前下方へガイド板部68を突設したから、物品収納庫4への物品の入庫をスムーズに行うことができる。
第５の手段に係る発明によれば、物品載置台への加重により弾性ばねが前後方向へ引き伸ばされるように構成したから、弾性バネの設置スペースに自由度があり、かつ弾性バネを含む一連の構成をユニット化したから、当該構成の取付及び交換が容易である。
第６の手段に係る発明によれば、重力センサ74を側板部70の外面に取り付けたから、その設置スペースに余裕があり、安価なセンサを利用することができる。
【図面の簡単な説明】
【００２１】
【図１】本発明の第１実施形態に係る荷重検知機能付きロッカーの正面図である。
【図２】図１のロッカーの側面図である。
【図３】図１のロッカーの一つの収納庫の正面図である。
【図４】図１のロッカーの一つの収納庫の蓋体開放状態の正面図である。
【図５】図１のロッカーの一つの収納庫の側方から見た断面図である。
【図６】図１のロッカーの物品載置台の正面図である。
【図７】図６の物品載置台の平面図である。
【図８】図６の物品載置台の側面図である。
【図９】本発明の第２実施形態に係る荷重検知機能付きロッカーの正面図である。
【図１０】図９のロッカーの物品載置台の正面図である。
【図１１】本発明の第３実施形態に係る荷重検知機能付きロッカーの正面図である。
【図１２】図11のロッカーの物品載置台の側面図である。
【図１３】本発明の第４実施形態に係る荷重検知機能付きロッカーの要部（物品載置台及び荷重検知センサ）の正面図である。
【図１４】図13の要部の側面図である。
【図１５】図13の要部の一部切欠平面図である。
【発明を実施するための最良の形態】
【００２２】
図１から図８は、本発明の第１の実施形態に係る荷重検知機能付きロッカー２を示している。このロッカーは、同じサイズの複数個の物品収納庫４を縦・横各方向にそれぞれ連ねて構成している。この物品収納庫４は、特に断らない限り鋼材で形成することができる。また好適な図示例では、ロッカーの中央部分では物品収納庫を省略して。その代わりに生体認証機能を有する管理装置80を形成している。
【００２３】
物品収納庫4は、図５に示す如く前面開口部8を有するボックス形の収納庫本体6と、その前面開口部8に取り付けた蓋体30とで形成している。
【００２４】
上記収納庫本体6は、後面10と底面12と上面14と左右の側面16とで形成している。図示例では、各物品収納庫4の後面10を、荷重検知機能付きロッカー2が有する一つの背板ＰＢの表面で形成している。同様に水平方向に連なる物品収納庫4の底面12乃至上面14は荷重検知機能付きロッカー2が有する同一の横板ＰＬの表面で形成しており、垂直方向に連なる物品収納庫4が有する縦板ＰＶの表面で形成している。これら背板ＰＢと横板ＰＬと縦板ＰＶとは相互に強固に連結されている。
【００２５】
図示例では、上から２番目以降の横板ＰＬの後端部及び左右両部から屈折板部を短く屈折して、これら屈折板部を背板ＰＢ及び縦板ＰＶに接合している。また上記横板ＰＬの前端部からは、前方へ屈折した後に後方へ延びる折返し部28を延出している。この折返し部28は、上記前方開口部8の下縁を形成している。
【００２６】
上記底面12の後部には、適数（図示例では２つ）のスリット形状の第１係合孔18を穿設している。また底面12及び上面14の前端部には、一方の側面16に接近させて、蓋体30の一端部を枢着するための軸孔20を穿設している。
【００２７】
また他方の側面16の前部には、蓋体30の他端部をロックさせるための係合凸部22を付設する。
【００２８】
またこの他方の側面16の上部には、照明器具24を設けている。これら照明器具24は、後述の蓋体30と連係して、少なくとも蓋体30を閉じたときに発光するように設けるとよい。後述の覗き窓から内部の状態を観察できるようにするためである。好適な図示例では、照明器具24は、複数個のＬＥＤライトを点列状に配列してなる。もっともこれら照明器具24の形態及び配置は適宜変更することができる。照明器具24は、荷重検知機能付きロッカー2の縦板ＰＶ及び横板ＰＬ側に沿って配線された電線26を介して外部の電線に接続可能に設ける。
【００２９】
さらに照明器具24は調光又は調色機能を有し、さらに重量センサ74と連係して、正常な載置荷重を感知したときと、そうではないときとでは光量又は光色が異なるようにしてもよい。そうすることで拳銃がモデルガンなどにすり替えられたときには、覗き窓50を介して直ちに異常を認識することができる。また好適な別の態様として、物品収納庫24から物品を取り出したときの照明器具24が点灯し、物品を物品収納庫４に戻したときに照明器具24が消灯するように構成してもよい。
【００３０】
蓋体30は、上記前方開口部8に一端部（基端部）を枢着させた垂直な蓋板32を有する。好適な図示例では、蓋板32の基端部の上面及び下面から軸棒34を垂直方向に突設し、これら軸棒34を上記軸孔20内に回動自在に嵌合しているが、その構造は適宜変更することができる。
【００３１】
上記蓋板32の先半部32bの裏面には、ロック装置36が取り付けられている。図示のロック装置36は、上記係合凸部22にロック可能な係合爪38を有する電子錠であり、この係合爪38を電気的に動かすことで係合凸部22とのロックを解除することが可能に形成している。図示の実施例では、このロック装置36は、上記軸棒34を介する電気回線により外部電源（商用電源やバッテリー）及び後述の管理装置80と通じている。そして権限を有する人間が認証手続をし、かつ所定の暗礁番号を打ち込んだときにロックを解除することができるようにしている。もっともこの例は好適な一例であり、必ずしもそのように構成しなくてもよい。
【００３２】
上記蓋板32の先半部32bの表面には、把手40が取り付けてあり、さらに後述の重量センサと連係して収納庫本体6内で所定の載荷荷重を検知したときに点灯する表示灯（表示部42）と、上記認証手続を経ずに解錠するための非常時用鍵穴44とが設けられている。もっともその構成は適宜変更することができるものとし、例えば上記表示部42は、上記ロック装置36と連係して蓋体30がロックされたときに、或いは、蓋体30がロックされるとともに収納庫本体6内で上記所定の載荷荷重を検知したときに、点灯するようにしても構わない。
【００３３】
上記蓋板32の基半部32ａには、縦長の覗き窓50が形成されている。この覗き窓50は、物品収納この底面12に載置される後述の物品載置台付近から蓋体30の上部まで延びている。図示の覗き窓50は、蓋板32に穿設した窓孔の周辺部裏面に透明な窓板を固定させてなる。もっともその構想は適宜変更することができる。また図示例では、覗き窓50の上部に番号札・名札などに用いる表示プレート52を設けている。
【００３４】
本実施形態の物品収納庫4の前方開口部8は、図示の把手40の大きさから判るように拳銃一丁をやや余裕をもって出し入れできる程度の大きさである。そしてその前方開口部8とほぼ同サイズである蓋板32の一半部（基半部32ａ）のうちの中央寄りの部分に覗き窓50を設けているに過ぎない。このような構成にした理由は、例えば道具を使って覗き窓50を割り、内部の拳銃などを取り出すことができないようにするためである。
【００３５】
上記物品収納庫４内には荷重検知手段60を設ける。この荷重検知手段60は、物品載置台62と、弾性ばね72と、重量センサ74とで構成されている。
【００３６】
上記物品載置台62は、収納庫本体6の底面12よりやや小さい台板部64を有し、この台板部64の後端部から後下方へ一対の係止片66を突出するとともに、台板部64の前端全長から前下方へガイド板部68を突出し、かつ上記台板部64の左右両端から一対の側板部70を起立してなる。そして上記係止片66を上記第１係合孔18内に遊挿させて、物品載置台62の揺動が可能に設ける。また上記ガイド板部68の前端部は、物品載置台62の上昇状態で上記折返し部28の上面に連なっている。
【００３７】
好適な図示例では、上記台板部64の後端から一体的に後板部65を起立しており、この後板部65の裏面に付設した金具の下半部を係止片66としている。台板部64と左右一対の側板部70と後板部65とは一体物であり、一枚の鋼板を曲げ加工することで形成できる。
また上記側板部70の上端部70ａは、上記照明器具24よりも下に位置させる。これら両端部は側外方へ突出している。
【００３８】
上記弾性ばね72は、上記台板部64の前部と収納庫本体6の底面との間に介装している。図示例では、弾性ばね72をコイルスプリングとし、その上端部を台板部64の前部に設けた取付孔67へボルト止めしているが、その構成は適宜変更することができる。
【００３９】
上記重量センサ74は、上記台板部64の前端部と収納庫本体6の底面との間に介在され、台板部64の上に所定荷重の物品を置いたときに、台板部64の前端部が上記弾性ばね72の弾性力に抗して一定の高さまで下降したときに検知信号を上記表示部に送るようにしてもよい。さらに後述の管理装置で錠の開閉の履歴を経時的にコンピュータに記録させるときには、重力センサの検知信号を併せて記憶させるようにすることができる。
【００４０】
本実施形態では、重量センサ74は下端部に感圧端子74aを有している。また重量センサ74上記台板部64の裏面に固定している。もっとも、その形態は適宜変更することができる。
【００４１】
管理装置80は、例えばコンピュータとして形成する制御部82と、この制御部を操作するためのキーボード83とを有し、さらに生体認証機能を有する。生体認証手段とは、従来公知の原理により個人の生体の特徴を予め記憶し、記憶された特徴と、測定器により読み取られた操作者の特徴とを比較して、両者が一致するときにロック解除の操作を許可するものである。図示例の場合には、指の静脈のパターンを読み取る第１の生体パターン読取部84と、指の指紋のパターンを読み取る第２の生体パターン読取部86とを設けている。もっともその構成は適宜変更することができ、静脈・指紋以外の生体的特徴を読み取るようにしてもよい。
【００４２】
管理装置80のメモリーには、少なくともこのロッカーを使用する権限を与えられた者の生体特徴のパターン及び識別番号が記憶されている。
【００４３】
上記構成によれば、予め物品載置台62に弾性ばね72及び重量センサ74を取り付けたものを、物品収納庫4内にセットすればよいので取り付けが極めて容易である。物品載置台62の係止片66を上記収納庫本体6の底面に係止しているので、収納庫本体6内で物品載置台62の位置が不意にずれるようなことはない。また物品載置台62は水平方向に対して浅い角度で揺動するので、物品載置台62の上に載せた物品が後側へ滑り落ちることもない。
【００４４】
次に本発明のロッカー全体の作用を説明する。蓋体30が閉じている状態で、内部の照明器具24が点灯しているので、覗き窓50から内部の状態を観察することができる。従って生体認証による機械的なチェックだけではなく、覗き窓50から目視により内部の状況をチェックすることができ、２重のチェックにより安心感が向上する。また停電などにより生体認証機能が働かなくなっても最低限のセキュリティを担保できる。
【００４５】
操作者が生体認証手続を行い、キーボードを操作して蓋体30のロックを解除すると、ロックを解除した時刻が生体認証により特定された個人の識別番号とともに管理装置80のメモリーに記憶される。また物品載置台62から物品を取り出したときにも載荷荷重が解除された旨の信号が重量センサ74から管理装置80へ送られる。さらに蓋体30を閉じると、ロックがかかった旨の信号が管理装置80に送られ、ロックされた時刻が記憶される。
【００４６】
次に物品を戻すときには、再び操作者が生体認証手続を行い、蓋体30のロックを解除する。そして物品を物品載置台62に載せて、蓋体30を閉めると再びロックがかかる。この場合にも、ロック装置36は蓋体30がロックされ或いはロックが解除された旨の信号を発信し、重量センサ74は載荷荷重が物品載置台62に作用したことを表す信号を発信する。これらの信号は管理装置80に送られ、それぞれの時刻とともにメモリーに記憶される。
【００４７】
なお、この際に入庫された物品の重量が一定の載荷荷重に足りないときには、重量センサ74から管理装置へ上記信号が届かない状態のままで蓋体30がロックされることになる。従ってメモリーに記憶された信号の履歴をみれば正しい物品が入庫されなかったことが判明する。こうした不適切な入庫が行われたときには、管理装置80から操作者又はこのロッカーシステムの管理者に対して警告を発するように構成してもよい。
【００４８】
図９から図10は、本発明の第２の実施形態に係る荷重検知機能付きロッカー２を示している。本実施形態では、上記後板部65を、台板部64から上方へ突出する代わりに下方へ突出している。そして後板部65の左右方向両部を同方向中間部に比べてさらに下方へ延長して、係止片66としている。また上記ガイド板部68は上記台板部64の前端から下方へ延びた後に前上方へ折り返している。また重量センサ74はガイド板部68のすぐ後側に設ける。
【００４９】
図11から図12は、本発明の第３実施形態に係る荷重検知機能付きロッカー２を示している。この実施形態では、物品載置台62の側板部70から下方へストッパ76を突出し、このストッパ76が物品載置台の下降により収納庫本体６の底面の前部に当接して物品載置台62の下限位置を規制するように設けている。
【００５０】
好適な図示例では、収納庫本体６の底面の前部に、前後方向に長い一対の第２係合孔19を穿設している。また上記ストッパ76の前端から後方に食い込むスリット77を設け、このスリット77内に上記第２係合孔19の前縁部に係合させている。これによりスリット77の上下巾の範囲で物品載置台62の前部を揺動させることができる。こうしたストッパ76を設けることで、例えば拳銃などの比較的重い物品を勢いよく物品載置台62の上に置いても、その勢いで重量センサが傷むことを回避できる。
【００５１】
この物品載置台62を収納庫本体６の底面に取り付けるときには、まず物品載置台62の前端を下にして物品載置台62を少し傾け、上記第２係合孔19の前縁部を上記スリット77の奥まで挿入させ、次に物品載置台62を水平に戻して、上記第１係合孔18内に係止片66を挿入すればよい。この取付方法を可能とするためには、図11に示す如く、第２係合孔19の前縁部とスリット77の後端との間に遊び代Δａをとるものとする。この遊び代Δａは、上記係止片66の後方への突出巾Δｄより大きくとるとよい。
【００５２】
図13から図15は、本発明の第４の実施形態に係る物品荷重検知機能付きロッカー２の態様を示している。本実施形態では、荷重検知手段60のうちの物品載置台の形状を変更するとともに、弾性ばね及び重量センサの部分をユニット化して荷重検知ユニット90とすることを要部とする。基本的に要部以外のロッカーの構造は図示することを省略している。
【００５３】
上記物品載置台62は、図13の如く側板部70の上端から側外方へ突出する水平な外向きフランジ71を有し、かつ両側板部70の前部上側に縦長の係止孔70bを開口している。
【００５４】
荷重検知ユニット90は、図14に示す本体92と、重量センサ74と、回転部材106と、緊張部材110とを具備する。
【００５５】
上記本体92は、水平な底板部94の左右両側から一対の支持板部96を起立するとともに、上記底板部94の前部から連結片98を起立している。この連結片98は垂直板状であり、その一部に第１調整孔99を形成している。この本体92は、物品収納庫４の底面12前部に対して着脱自在に設ける。
【００５６】
上記支持板部の下部前側には、図14〜15の如く支持板部96の内面から内方突出する支点部100を設けており、この支点部100に断面カギ形の回転部材106が有する屈折部１０８の裏側（隅部）を係止することができるように形成している。図示例では、特に簡易な構成として、支点部100の形成箇所に、孔縁にネジを切った孔（以下「ネジ孔」という）を穿設し、このネジ孔に、外側からネジを螺着させ、このネジが有するネジ棒を支点部100としている。もっとも、この構成は、次に述べるように適宜変更することができる。
【００５７】
本明細書において、「支点部」とは、回転部材106の回転の中心として回転部材を支える部位をいう。回転中心を構成するための一般的な構造としては、一方の部材から突出する枢着軸と他方の部材に付設した軸穴とからなるものが知られている。しかしながら、本実施形態において支持板部100に回転部材106を支持させる構成は、回転部材106が軸孔を有しないから、枢軸機構ではない。もちろん枢着機構の構成を支点部100に採用しても構わない。例えば回転部材106の被支持箇所から枢着軸を突出し、支点部100を、枢着軸を挿入可能な軸孔とすることもできる。
【００５８】
また上記支持板部96の下部内面には、上記支点部100の下側（図示例では下側やや前方寄り）に係止凸部102を付設している。この係止凸部102は後述の如く回転部材の回動限界を制限するストッパとして機能する。図示の係止凸部102は、上記支点部100と同様に、側板部に穿設したネジ孔に、内側からネジを螺着することで形成しているが、上記機能が発揮できる限りどのような構造でも構わない。
【００５９】
また上記支持板部96の上部からは、凸状のストッパ76を内方突設する。このストッパ76は、上記物品載置台62の係止孔70b内に、上下方向への遊びを存して遊嵌しており、後述の重量センサ74の感圧端子74ａに限界を超えた外力が作用しないように設ける。好適な図示例では、支持板部96にネジ孔を穿設するとともに、このネジ孔に内側からネジを螺着することでネジの頭部をストッパ76としている。
【００６０】
上記重量センサ74は、一方の支持板部96の上端部外面に付設されている。その重量センサ74の感圧端子74ａは、上記物品載置台62の外向きフランジ71の裏面と当接することができるように、支持板部96の上縁より上方へ突設している。第１実施形態では、重量センサを、物品収納庫４の底面12と物品載置台62の台板部64との間に設けていたため、特に背低小形のセンサを用いなければならなかった。そしてこうしたセンサは製造に高い技術を必要とするために高価であった。本実施形態の場合には、重量センサの設置箇所に上下方向への自由度が大きく、一般的で安価なセンサを用いることができるから、経済的である。
【００６１】
上記回転部材106は、断面カギ状（或いは略くの字状）の横長の部材である。好適な図示例では平板を断面略“く”の字状に屈折することで形成されており、その一方板部106Ａを、支点の下方へ垂直に配置した状態で、他方板部106Ｂを前上方へ突出させている。そしてこれら両板部の屈折部108の裏側に上記支点部100を当接させて、一方板部106Ａを後述の緊張部材110で前方へ付勢させることで揺動可能に形成する。
【００６２】
前方へ付勢された一方板部106Ａは上記係止凸部102に突き当たることで停止する（一方板部の前限状態）。また他方板部106Ｂの上面は物品載置台の受面になっており、他方板部106Ｂの上に一定以上の荷重が作用すると、回転部材106は、緊張部材110の引っ張り力に抗して回動する（一方板部の後限状態）。よって回転部材は、これら２つの状態の間を揺動することができる。
【００６３】
上記緊張部材110は、連結片98と回転部材106の一方板部との間に前後方向に亘って、使用状態での緊張可能に設けられており、同方向に張力の調整部112と弾性ばね72を配列している。
【００６４】
図示例の調整部112は、可動板部114と調整ネジ120とで形成する。
【００６５】
上記可動板部114は、図14に示す如く、上記底板部94の上にスライド可能に重ねた水平な基板部114aの前部から、第１起立板部114bを、基板部114aの後部から第２起立板部114cをそれぞれ起立している。第１起立板部114bのうち上記第１調整孔99と向かい合う位置には第２調整孔116を開口する。また第２起立板部114bは、複数のフック孔118を有する。これらフック孔118は、第２起立板部114の巾方向（左右方向）に配列することが好適であるが、その構造は適宜変更することができる。フック孔118の個数を一つとすることもできる。また好適な図示例では、基板部114aの左右両側から一対の補助板部114dを後方へ延長している。
【００６６】
上記調整ネジ120は、上記第１調整孔99と第２調整孔116との双方に螺着されており、調整ネジ120を回転させることで、上記可動板部114を連結片98に対して強制的に前進または後退させることができるように設けられている。また図示例では、既述ガイド板部68のうち調整ネジ120上方の部分を切り欠いて、物品載置台62が下降したときに当該切欠部59内に調整ネジ120が入るようにしている。
【００６７】
弾性ばね72は、本実施形態では、水平方向（前後方向）に延びており、同方向の後端部を上記回転部材の一方板部に連係しており、かつ前端部にフック72ａを設けている。本実施形態では水平方向に弾性ばね72を配置するので、第１実施形態に比べて弾性ばね72の収納スペースに自由度があるので、装置の設計が容易となる。すなわち、第１実施形態の如く上下方向の狭い空間に収まるようなばねで、大荷重に対抗し得る大きなばね力を得るためには、ばねの太さや材料などをよく考えて設計する必要があるが、本実施形態ではそうした困難性が少ない。
【００６８】
図示例では、上記ばね孔に対応した複数の弾性ばね72を水平方向に設けている。複数個の弾性ばねを採用してもよいことは、第１実施形態の場合も同じことであるが、本実施形態の場合には、上方からみて各弾性ばね72のフック72ａを第２起立板部114cのフック孔118に掛ければよいので、作業効率がよい。
【００６９】
上記構成によれば、物品載置台62に、一定以上の重量を有する物品を載せると、弾性バネ72の弾性に抗して回転部材106が支点部100の回りを回転し、外向きフランジ71が重量センサ74の感圧端子74ａに接することで荷重を探知する。本実施形態の場合には、重量センサ及び弾性バネ72を含む一連の機構を荷重検知ユニット90として構成したので、ロッカーに取り付けることが容易である。また弾性バネが劣化したときには荷重検知ユニット90ごと交換することができる。
【符号の説明】
【００７０】
２…荷重検知機能付きロッカー  ４…物品収納庫  ６…収納庫本体  ８…前面開口部
10…後面  12…底面  14…上面  16…側面  18…第１係合孔  19…第２係合孔
20…軸孔  22…係合凸部  24…照明器具  26…電線  28…折返し部
30…蓋体  32…蓋板  32a…基半部  32b…先半部
34…軸棒  36…ロック装置  38…係合爪  40…把手  42…表示部  44…非常時用鍵穴
50…覗き窓  52…表示プレート
60…荷重検知手段  62…物品載置台  64…台板部  65…後板部
66…係止片  67…取付孔  68…ガイド板部  69…切欠部
70…側板部  70ａ…上端部  70b…係止孔  71…外向きフランジ
72…弾性ばね  72ａ…フック
74…重量センサ  74ａ…感圧端子
76…ストッパ  77…スリット  78…荷重検知ユニット
80…管理装置  82…制御部  83…キーボード
84…第１の生体パターン読取部  86…第２の生体パターン読取部
90…荷重検知ユニット  92…本体  94…底板部  96…支持板部
98…連結片  99…第１調整孔
100…支点部  102…係止凸部
106…回転部材  106Ａ…一方板部  106Ｂ…他方板部  108…屈折部  
110…緊張部材  112…調整部  114…可動板部  114ａ…基板部  114ｂ…第１起立板部
114c…第２起立板部  114d…補助板部  
116…第２調整孔  118…フック孔  120…調整ネジ  
ＰＢ…背板  ＰＬ…横板  ＰＶ…縦板
【図１】
0005517312.tif 000002
【図２】
0005517312.tif 000003
【図３】
0005517312.tif 000004
【図４】
0005517312.tif 000005
【図５】
0005517312.tif 000006
【図６】
0005517312.tif 000007
【図７】
0005517312.tif 000008
【図８】
0005517312.tif 000009
【図９】
0005517312.tif 000010
【図１０】
0005517312.tif 000011
【図１１】
0005517312.tif 000012
【図１２】
0005517312.tif 000013
【図１３】
0005517312.tif 000014
【図１４】
0005517312.tif 000015
【図１５】
0005517312.tif 000016